(57)【要約】【課題】作動試験に要する手間を削減し、かつ作動試験時における安全性を向上させる事が可能な防火戸施解錠装置を提供することを提供すること。【解決手段】防火戸施解錠装置１は、係止状態及び解放状態のいずれかの状態に変位可能な係止機構であって、係止状態においてフックシャフトを係止することにより防火戸２を施錠し、解放状態においてフックシャフトを解放することにより防火戸２を解錠する係止機構と、防火戸２の解錠を要求する解錠要求信号を受けて作動することによって、係止機構を係止状態から解放状態に変位させるソレノイド機構と、防火戸施解錠装置１の機能の動作状態に関する出力を行う第一表示灯、第二表示灯、及び第三表示灯と、係止機構を解放状態から係止状態に変位させる調整スプリング機構と、を備え、調整スプリング機構は、調整スプリング機構の操作後に調整スプリング機構の操作前の状態に戻すための操作部スプリングを有する。【選択図】図１
2018135756.tif 000002
【特許請求の範囲】
【請求項１】
防火戸の施錠及び解錠を行う防火戸施解錠装置であって、
係止状態及び解放状態のいずれかの状態に変位可能な係止手段であって、前記係止状態において前記防火戸に設けられた被係止部を係止することにより前記防火戸を施錠し、前記解放状態において前記被係止部を解放することにより前記防火戸を解錠する係止手段と、
前記防火戸の解錠を要求する解錠要求信号を受けて作動することによって、前記係止手段を前記係止状態から前記解放状態に変位させる作動手段と、
前記防火戸施解錠装置の機能の動作状態に関する出力を行う出力手段と、
前記係止手段を前記解放状態から前記係止状態に変位させる操作手段であって、当該操作手段の操作後に前記係止手段の係止状態を維持させることが可能な操作手段と、を備え、
前記操作手段は、当該操作手段の操作後に当該操作手段の操作前の状態に戻すための操作部スプリングを有する、
防火戸施解錠装置。
【発明の詳細な説明】
【技術分野】
【０００１】
本発明は、防火戸施解錠装置に関する。
【背景技術】
【０００２】
従来から、防火戸の施錠及び解錠を行う防火戸施解錠装置が提案されている（例えば、特許文献１参照）。このような防火戸施解錠装置は、概略的には、平常時には防火戸のドアフックを係止して防火戸を施錠することによって、当該防火戸が取り付けられた開口部を開放し、火災発生時には防火戸のドアフックを解放して防火戸を解錠することによって、当該防火戸が取り付けられた開口部を閉鎖するものである。
【０００３】
ここで、このような防火戸施解錠装置は、建物の施工における比較的初期の段階（例えば、建物の壁面を形成する段階等）で建物の壁面に埋め込まれて設置されるのに対し、この防火戸施解錠装置に対して取り付けられる防火戸は、建物の施工における比較的終期の段階で建物に設置される。しかし、防火戸施解錠装置が正常に作動するか否かを確認する試験（以下、作動試験）を、防火戸が建物に設置されるのを待ってから実行するのは非効率的であり、防火戸が建物に設置される前段階にこのような作動試験を実行可能な防火戸施解錠装置が要望されていた。そこで、従来では、当該作動試験を実行する者（以下、試験者）が、防火戸のドアフックのみを所持し、建物内に取り付けられた各防火戸施解錠装置に対してドアフックを用いて試験を行っていた。具体的には、ドアフックを防火戸施解錠装置に対して取り付けて擬似的に防火戸が施錠された状態とし、この状態において、所定の機器を用いて防火戸施解錠装置に対して解錠を要求する電気信号を送信することにより、防火戸施解錠装置がドアフックの係止を解放するか否かを確認していた。
【先行技術文献】
【特許文献】
【０００４】
【特許文献１】特開平８−４２２１４号公報
【発明の概要】
【発明が解決しようとする課題】
【０００５】
しかしながら、上記従来の防火戸施解錠装置においては、試験者がドアフックを所持する必要があるので作動試験に要する手間が増大し、さらに防火戸施解錠装置がドアフックの係止を解放した際にドアフックが勢いよく飛び出して試験者が怪我等をする可能性があった。したがって、作動試験に要する手間を削減し、かつ作動試験時における安全性を向上させる事が可能な防火戸施解錠装置が要望されていた。
【０００６】
本発明は、上記に鑑みてなされたものであって、作動試験に要する手間を削減し、かつ作動試験時における安全性を向上させる事が可能な防火戸施解錠装置を提供することを目的とする。
【課題を解決するための手段】
【０００７】
上述した課題を解決し、目的を達成するために、請求項１に記載の防火戸施解錠装置は、防火戸の施錠及び解錠を行う防火戸施解錠装置であって、係止状態及び解放状態のいずれかの状態に変位可能な係止手段であって、前記係止状態において前記防火戸に設けられた被係止部を係止することにより前記防火戸を施錠し、前記解放状態において前記被係止部を解放することにより前記防火戸を解錠する係止手段と、前記防火戸の解錠を要求する解錠要求信号を受けて作動することによって、前記係止手段を前記係止状態から前記解放状態に変位させる作動手段と、前記防火戸施解錠装置の機能の動作状態に関する出力を行う出力手段と、前記係止手段を前記解放状態から前記係止状態に変位させる操作手段であって、当該操作手段の操作後に前記係止手段の係止状態を維持させることが可能な操作手段と、を備え、前記操作手段は、当該操作手段の操作後に当該操作手段の操作前の状態に戻すための操作部スプリングを有する。
【発明の効果】
【０００８】
請求項１に記載の防火戸施解錠装置によれば、防火戸施解錠装置の機能の動作状態に関する出力を行う出力手段を備えるので、ユーザはこの出力手段による出力に基づいて防火戸施解錠装置の機能の動作状態を容易に認識することができ、防火戸施解錠装置の作動試験に要する手間を削減し、かつ作動試験時における安全性を向上させる事が可能になる。
また、防火戸施解錠装置の機能の動作状態に関する出力を行う出力手段を備えるので、ユーザはこの出力手段による出力に基づいて防火戸施解錠装置の機能の動作状態を容易に認識することができ、防火戸施解錠装置の作動試験に要する手間を削減し、かつ作動試験時における安全性を向上させる事が可能になる。
【図面の簡単な説明】
【０００９】
【図１】本発明の実施の形態に係る防火戸の閉鎖状態を示す正面図である。
【図２】防火戸施解錠装置の正面図である。
【図３】図２のＡ−Ａ断面図である。
【図４】ドアフックの外観を示す斜視図である。
【図５】防火戸施解錠装置の施錠状態を示す図３のＢ−Ｂ断面図である。
【図６】防火戸施解錠装置の解錠状態を示す図３のＢ−Ｂ断面図である。
【図７】係止機構とソレノイド機構との関係を示す説明図であって、（ａ）は、正面図であり、（ｂ）はソレノイドレバーの側面図である。
【図８】レバー操作部の操作時を示す図３のＢ−Ｂ断面図である。
【図９】手動操作に基づく係止機構の解放状態を示す図３のＢ−Ｂ断面図である。
【図１０】調整スプリング機構を構成する各部を示す説明図である。
【図１１】マイクロスイッチとソレノイドの関係を示す底面図である。
【図１２】スイッチＯＦＦ状態の防火戸施解錠装置の回路図である。
【図１３】スイッチＯＮ状態の防火戸施解錠装置の回路図である。
【発明を実施するための形態】
【００１０】
以下、本発明に係る防火戸施解錠装置の実施の形態について図面を参照しつつ詳細に説明する。ただし、実施の形態によって本発明が限定されるものではない。
【００１１】
〔I〕実施の形態の基本的概念
まずは、実施の形態の基本的概念について説明する。実施の形態は、概略的に、防火戸の施錠及び解錠を行う防火戸施解錠装置に関するものである。ここで、「防火戸」とは、開口部に対して回動自在に設置された戸体であって、開口部を開放する状態（以下、開放状態）と、開口部を閉鎖する状態（以下、閉鎖状態）のいずれかの状態に変位可能に構成されている。なお、この防火戸は、建築基準法に規定されている防火戸を含むが、これに限定されず、任意の法令に基づく戸体を対象とすることができる。
【００１２】
また、「施錠」とは、防火戸を回動不能な状態にすることを示し、「解錠」とは、防火戸を回動可能な状態にすることを示す。ここで、当該防火戸施解錠装置は、開口部近傍の壁面であって、防火戸の開放状態において防火戸が近接する位置の壁面に設けられている。そして、防火戸の開放状態において防火戸施解錠装置が防火戸を施錠することにより、この状態にて防火戸の回動が抑止されて回動不能となり、防火戸の開放状態が維持される。また、この状態において防火戸施解錠装置が防火戸を解錠することにより、防火戸は自重により閉鎖する方向に回動し、閉鎖状態となる。
【００１３】
なお、本実施の形態に係る防火戸施解錠装置は、所定の信号を受けて、又は手動操作により施錠又は解錠を実行するが、この点についての詳細な説明は省略する。また、どのようなタイミングによりこのような施錠又は解錠を行うかは任意であるが、例えば、火災等が発生していない場合（以下、平常時）、防火戸施解錠装置は施錠を行うことにより防火戸を開放状態とし、火災感知器等により火災が感知されている場合（以下、火災発生時）、防火戸施解錠装置は解錠を行うことにより防火戸を閉鎖状態とすることにより、当該防火戸が防災設備として機能する。なお、防火戸施解錠装置により施錠が行われている状態を「施錠時（又は施錠状態）」、解錠が行われている状態を「解錠時（又は解錠状態）」と必要に応じて称して説明する。
【００１４】
また、防火戸施解錠装置が適用される開口部の位置についても任意であり、例えば建物の外部と内部との間に位置する開口部や、建物の内部における一つの部屋と他の部屋との間に位置する開口部を対象とすることができる。
【００１５】
〔II〕実施の形態の具体的内容
次に、実施の形態の具体的内容について説明する。
【００１６】
（構成）
まず、実施の形態に係る防火戸施解錠装置１及び防火戸２の構成について説明する。図１は、実施の形態に係る防火戸２の閉鎖状態を示す正面図である。図２は、防火戸施解錠装置１の正面図である。図３は、図２のＡ−Ａ断面図である。これら図１から図３に示すように、防火戸施解錠装置１は、閉鎖状態において防火戸２と近接する壁面に設置されている。ここで、以下では、図１から図３におけるＸ−Ｘ’方向を「幅方向」と称し、特にＸ方向を「右方向」、Ｘ’方向を「左方向」と称する。また、Ｙ−Ｙ’方向を「奥行き方向」と称し、特にＹ方向を「前方向」、Ｙ’方向を「後方向」と称する。また、Ｚ−Ｚ’方向を「高さ方向」と称し、特にＺ方向を「上方向」、Ｚ’方向を「下方向」と称する。ここで、以下では、初めに防火戸２の構成について説明し、続いて、防火戸施解錠装置１の構成について具体的に説明する。
【００１７】
（構成−防火戸）
防火戸２は、建物の内部における任意の位置に形成された開口部に設置された開閉手段であって、閉鎖時において開口部を遮蔽することにより開口部の防火や防煙を行う防災手段である。なお、この防火戸２の具体的な大きさや素材については任意であるが、本実施の形態においては、高さ２ｍ、幅１．８ｍ程度の金属製の防火扉であるものとして説明する。
【００１８】
ここで、この防火戸２は、開口部の下方の床に埋め込まれたフロアヒンジ３によって回動可能に軸支されており、自重によって常に閉鎖する方向へ回動するように付勢されている。また、防火戸２における閉鎖側の側面の所定位置（閉鎖時に防火戸施解錠装置１と対向する位置）にはドアフック４が設けられている。図４は、ドアフック４の外観を示す斜視図である。このドアフック４は、後述する防火戸施解錠装置１の係止機構２０により係止される被係止部であって、概略的に、フックシャフト５、フックアーム６、及びフック座板７を備えて構成されている。
【００１９】
フックシャフト５は、後述するラッチ腕３５に係合される部分であって、金属製の円筒体として形成されている。フックアーム６は、フックシャフト５を防火戸２から所定距離（例えば、２ｃｍ）離れた位置に保持するためのフックシャフト保持手段であって、金属製の板状体を略コ字状に折り曲げて形成され、フックシャフト５を両端部から挟持している。フック座板７は、フックアーム６を防火戸２に固定するためのフックアーム固定手段であって、２か所において防火戸２に対してネジ止めされ、また、フック座板７、及びフックアーム６を順次介して防火戸２に挿通されたビスによってフックアーム６を防火戸２に固定している。
【００２０】
（構成−防火戸施解錠装置）
次に、防火戸施解錠装置１の構成について説明する。図５は、防火戸施解錠装置１の施錠状態を示す図３のＢ−Ｂ断面図である。また、図６は、防火戸施解錠装置１の解錠状態を示す図３のＢ−Ｂ断面図である。また、図７は、係止機構２０とソレノイド機構９０との関係を示す説明図であって、（ａ）は、正面図であり、（ｂ）はソレノイドレバー９３（後述する）の側面図である。これらの図５、図６、及び図７、並びに上述した図２及び図３に示すように、本実施の形態に係る防火戸施解錠装置１は、ケース１０、係止機構２０、検知スイッチ６０、レバー操作部７０、調整スプリング機構８０、ソレノイド機構９０、第一表示灯１０１、第二表示灯１０２、第三表示灯１０３、及びマイクロスイッチ１１１、１１２、１１３を備えて構成されている。
【００２１】
（構成−防火戸施解錠装置−ケース）
ケース１０は、防火戸施解錠装置１の外郭を形成する筐体であって、本実施の形態では図２等に示すように、正面形状を略正方形とする中空の直方体に形成されているものとして説明するが、この形状に限定されない。そして、このケース１０は、その内部に防火戸施解錠装置１を構成する各種機器を収容しており、正面から壁面に対してネジ止め等の公知の方法で固定されている。なお、最もユーザの目に留まる部分であるケース１０の正面部分には、上述した第一表示灯１０１、第二表示灯１０２、及び第三表示灯１０３が設けられており、ユーザは正面からこれらの各表示灯の点灯の有無を確認することができる。また、ケース１０にはフックシャフト５の正面形状も大きな幅に切り欠かれたラッチ溝１１が設けられており、このラッチ溝１１にフックシャフト５を挿入可能となっている。
【００２２】
（構成−防火戸施解錠装置−係止機構）
係止機構２０は、係止状態又は解放状態のいずれかの状態に変位可能な係止手段である。ここで、「係止状態」とは、防火戸２に設けられたドアフック４を係止することにより防火戸２を施錠可能な状態であって、具体的には、図５に示すように、防火戸２のフックシャフト５を、後述するラッチ腕３５により係止することによって奥行き方向に移動不能とする状態である。また、「解放状態」とは、防火戸２に設けられたドアフック４を解放することにより防火戸２を解錠可能な状態であって、具体的には、図６に示すように、後述するラッチ腕３５による係止を解放することにより、防火戸２のフックシャフト５を奥行き方向に移動可能とする状態である。ここで、係止機構２０は、概略的に、ラッチ部３０、レバー部４０、及びトグルリンク５０を備えて構成されている。
【００２３】
ラッチ部３０は、概略的にラッチ軸３１、ラッチ板３２、ラッチストッパーピン３３、ラッチスプリング３４、ラッチ腕３５、及びラッチカム３６を備えて構成されている。ラッチ軸３１は、ケース１０の中央付近において、上下方向に沿って設置された円筒形状体である。ラッチ板３２は、ラッチ軸３１を中心に平面上を回動可能に設置されている板状体である。ラッチストッパーピン３３は、ラッチスプリング３４を固定するためのラッチスプリング３４固定手段であって、ラッチ軸３１の側方位置において上下方向に沿って設置された円筒形状体として形成され、その両端部がケース１０の内面に固定されている。ラッチスプリング３４は、ラッチ板３２を、防火戸２を解錠する方向すなわち時計回りに付勢する付勢手段である。具体的には、ラッチスプリング３４は、ラッチ軸３１に巻装されており、一方の端部はラッチストッパーピン３３に接続され、他方の端部はラッチ板３２に接続されており、ラッチストッパーピン３３とラッチ板３２とを相互に離す方向に付勢している。ラッチ腕３５は、ラッチ板３２の回転に伴って防火戸２のフックシャフト５を係止又は解放する係止解放手段であって、平面形状を鉤型状とするラッチ板３２の一部であり、ラッチ板３２の前端付近に形成されている。ラッチカム３６は、ラッチ板３２の回転を抑止する回転抑止手段であって、ラッチ板３２の後端付近において、係止状態において後述するレバー軸４４と当接するように配置されている部分である。
【００２４】
レバー部４０は、ラッチ部３０の回動を制限する回動制限手段であって、概略的に、レバー板４１、連結ピン４２、スライドピン４３、及びレバー軸４４を備えて構成されている。レバー板４１は、トグルリンク５０の屈折に基づいて可動する可動手段であって、上下方向に沿って相互に間隔を隔てて配置された二枚の略Ｓ字形状の板状体により構成されている。連結ピン４２は、レバー板４１とトグルリンク５０とを相互に回動可能に接続する接続手段である。スライドピン４３は、レバー板４１と調整スプリング機構８０とを相互に回動可能に接続する接続手段であって、レバー板４１、後述する調整スプリング機構８０のスライドスプリング受け８５、及びケース１０に設けられたキー孔１２をそれぞれ挿通するピンである。なお、このスライドピン４３はキー孔１２の長手方向すなわち奥行き方向に沿ってキー孔１２の内部をスライド可能に形成されている。レバー軸４４は、ラッチ部３０の回動を制限する部分であって、具体的には、レバー板４１を構成する二枚の板状体を相互に接続する円筒形状体に形成されている。ここで、上述したようにラッチ板３２はラッチスプリング３４によって時計回りに付勢されているが、図５に示すように、ラッチカム３６がこのレバー軸４４に係止されることによって、ラッチ板３２の回動が係止される。
【００２５】
トグルリンク５０は、ソレノイド機構９０の動作をレバー部４０に伝達するための伝達手段であって、概略的に、可動部５１、トグルジョイント５２、及びトグルピン５３を備えて構成されている。可動部５１は、後述するソレノイドレバー９３からの打撃を受けてトグルジョイント５２を基点として屈折可能な折曲部であって、前片５１ａと後片５１ｂとをトグルジョイント５２を介して接続して構成されている。トグルジョイント５２は、上述した可動部５１を構成する前片５１ａと後片５１ｂとを屈折可能に接続するピンである。トグルピン５３は、トグルリンク５０が後述するソレノイドレバー９３の近傍に位置するようにトグルリンク５０をケース１０に固定するための固定手段である。
【００２６】
（構成−防火戸施解錠装置−検知スイッチ）
検知スイッチ６０は、係止機構２０が係止状態から解放状態に変位したか否かを検知する検知手段である。この検知スイッチ６０は、上記のような検知が可能である限り、任意の位置や構成とすることが可能であるが、本実施の形態においては、レバー部４０の奥の位置において、ケース１０に固定された押圧式スイッチであるものとして説明する。具体的には、図５に示すように係止機構２０が施錠状態である場合にはレバー部４０と接触せず、図６に示すように係止機構２０が解放状態である場合にはレバー部４０と接触するような位置に配置されている。このように係止機構２０が解放状態となり、レバー部４０によって検知スイッチ６０が押圧されると、この押圧を検知した事を示す信号が第三表示灯１０３に出力されて、第三表示灯１０３が点灯する。なお、この点についての詳細は後述する。
【００２７】
（構成−防火戸施解錠装置−レバー操作部）
レバー操作部７０は、係止機構２０を解放状態から係止状態に変位させる操作手段である。図８はレバー操作部７０の操作時を示す図３のＢ−Ｂ断面図である。このレバー操作部７０は、係止機構２０の解放状態から係止状態に変位させることが可能な限りにおいて任意の構成を採用することができるが、本実施の形態においては、ラッチ溝１１の右側方に形成された押しボタン式の操作部であるものとして説明する。具体的には、レバー操作部７０は、ラッチ溝１１の右側方の位置において、ケース１０を前後に挿通するようにはめ込まれた円筒体形状に形成されており、前端部がケース１０の外側に突出し、後端部がケース１０の内側に収容されるように配置されている。
【００２８】
ここで、図６に示すように、係止機構２０が解放状態である場合にはレバー操作部７０の後端部はラッチ板３２に当接しており、ユーザの指等によりレバー操作部７０を押圧すると、ラッチ板３２がラッチ軸３１を中心として係止状態に向かう方向（すなわち反時計回り）に回動する。そして、押圧を続けると、図８に示すようにラッチカム３６がレバー軸４４を乗り越えるまで回動し、係止機構２０が係止状態に維持される。なお、このレバー操作部７０には、レバー操作部７０を前方向に付勢する操作部スプリング７１が設けられており、ユーザが指等による押圧を解除すると、レバー操作部７０は押圧前の状態に戻る。このように、レバー操作部７０を形成することによって、ドアフック４を用いることなく、ユーザの指等による操作によって容易に係止機構２０を解放状態から係止状態に変位させることができ、試験時においてユーザがドアフック４を持ち歩く手間を削除することが可能になる。
【００２９】
（構成−防火戸施解錠装置−調整スプリング機構）
調整スプリング機構８０は、手動操作により係止機構２０を係止状態から解放状態に変位させる操作手段である。図９は、手動操作に基づく係止機構２０の解放状態を示す図３のＢ−Ｂ断面図である。この調整スプリング機構８０は、具体的には、ユーザがドアフック４を所定以上の力量で手前に引っ張った際に、ラッチ板３２を回転させてフックシャフト５をラッチ腕３５から外し、係止機構２０を解放状態に変位させる機構である。図１０は、調整スプリング機構８０を構成する各部を示す説明図である。この図１０に示すように、この調整スプリング機構８０は、概略的に、固定用ネジ８１、調整ネジ受け板８２、係止力ネジ８３、スライドナット８４、スライドスプリング受け８５、及び係止力スプリング８６を備えて構成されている。
【００３０】
固定用ネジ８１は、調整スプリング機構８０を構成する各部をケース１０に対して固定するための固定手段であって、ケース１０の前方から挿通されて調整ネジ受け板８２に対してネジ止めされている。調整ネジ受け板８２は、係止力ネジ８３の回転を抑止する回転抑止手段であって、固定用ネジ８１を挿通するためのネジ孔と、係止力ネジ８３を挿通するためのネジ孔とが並設された板状体に形成されている。係止力ネジ８３は、係止力スプリング８６による付勢力を調節するためのネジであって、ケース１０の前方から奥行き方向に沿って挿通されており、軸部にはスライドナット８４が取り付けられている。スライドナット８４は、係止力スプリング８６の付勢力を調整する付勢力調整手段であって、係止力ネジ８３の軸部に挿通された公知のナットである。このスライドナット８４は、係止力ネジ８３を回すことにより、後述するスライド窓８７の長手方向（すなわち、奥行き方向）に沿って前後に移動する。
【００３１】
スライドスプリング受け８５は、ユーザの手動操作（フックの取り外し）を受けて前後に摺動する摺動手段であって、全体として略コ字状に折り曲げて形成された板状体として構成されており、その側面にはスライド窓８７が形成されている。このスライド窓８７は、スライドスプリング受け８５に側面に設けられた長方形状の孔であり、スライドスプリング受け８５の摺動方向を決定するためのガイド手段である。すなわち、スライドスプリング受け８５は、このスライド窓８７にスライドナット８４をはめ込んだ状態で、スライド窓８７の長手方向に沿って摺動可能に形成されている。係止力スプリング８６は、スライドスプリング受け８５に対して前方向の付勢力を与える付勢手段であって、スライドナット８４とスライドスプリング受け８５との間で、係止力ネジ８３の周囲に巻装されている。したがって、係止力ネジ８３を回してスライドナット８４を前に移動させる程、この係止力スプリング８６の前方向への付勢力は大きくなり、スライドナット８４を後ろに移動させる程、この係止力スプリング８６の前方向への付勢力は小さくなる。
【００３２】
ここで、スライドスプリング受け８５は、スライドピン４３を介してレバー板４１と接続されているため、係止力スプリング８６の前方向への付勢力はレバー板４１に直接伝達される。すなわち、係止力スプリング８６は、ユーザがドアフック４を前方向に引っ張る力（すなわち、ラッチカム３６がレバー軸４４を介してレバー板４１を後方に押す力）に抗して、レバー板４１を前方に引っ張る力を付勢している。そして、ユーザがドアフック４を引っ張る力が、係止力スプリング８６の付勢力よりも大きくなった場合、スライドピン４３はキー孔１２の長手方向に沿って後方に移動し、レバー軸４４がラッチカム３６の係止を外し、図９に示すように係止機構２０が解放状態となる。このような調整スプリング機構８０を備えることにより、防火戸２の重量等に基づいて、係止力ネジ８３を回して係止力スプリング８６の係止力を適宜調節することが可能となる。
【００３３】
（構成−防火戸施解錠装置−ソレノイド機構）
ソレノイド機構９０は、防火戸２の解錠を要求する解錠要求信号を受けて作動することによって、係止機構２０を係止状態から解放状態に変位させる作動手段である。ここで、図７に示すように、ソレノイド機構９０は、概略的に、ソレノイド９１、戻しスプリング９２、ソレノイドレバー９３、及びリミットスイッチ９４を備えて構成されている。なお、「解錠要求信号」とは、ユーザが防火戸２の解錠を要求する所定のタイミングで当該ソレノイド機構９０に対して出力される信号であって、例えば、火災感知器にて火災を感知した際に出力される信号や、ユーザが防火戸施解錠装置１の作動試験を実行する際に所持する試験用信号出力機等から出力される信号を含む概念である。
【００３４】
ソレノイド９１は、解錠要求信号を受けて磁力により、ソレノイドピン９５を所定方向（本実施の形態では右方向）に突出させる公知のソレノイド９１であって、ケース１０に対してネジ止め等公知の方法で固定されている。なお、この際のソレノイドピン９５が突出する方向（本実施の形態における右方向）を「突出方向」と必要に応じて称して以下では説明する。戻しスプリング９２は、ソレノイドピン９５を突出方向と反対方向に付勢する付勢手段であって、この戻しスプリング９２の付勢力によって、ソレノイド９１への解錠要求信号が遮断された場合にはソレノイドピン９５は直ちに元の位置まで戻される。
【００３５】
ソレノイドレバー９３は、ソレノイドピン９５によって押圧されて変位する変位手段である。図７（ｂ）に示すように、ソレノイドレバー９３は、支点軸９３ａ、力点部９３ｂ、及び押板９３ｃを備えて構成されており、支点軸９３ａを中心として正面視において反時計回りに回動可能な板状体に形成されている。支点軸９３ａはソレノイドレバー９３を回動自在に軸支する軸支手段である。力点部９３ｂは、ソレノイドピン９５により押圧される部分であって、ソレノイドピン９５の突出方向の延長線上の位置に配置される。押板９３ｃは、トグルリンク５０を打撃して係止機構２０の状態を係止状態から解放状態に変位させる打撃手段であって、図５に示すようにトグルリンク５０におけるトグルジョイント５２付近の位置に設置されている。
【００３６】
リミットスイッチ９４は、係止機構２０が係止状態から解放状態に変位したことを検知して、ソレノイド９１への解錠要求信号の入力を遮断する入力遮断手段である。具体的には、レバー軸４４におけるケース１０の下方に突設した部分に対してレバーばね板９６を介して接続されており、レバーばね板９６の動きを検知した場合にソレノイド９１に対して入力遮断信号を出力する公知のリミットスイッチとして構成されている。
【００３７】
このような構成により、ソレノイド９１が解錠要求信号を受けると、ソレノイドピン９５が力点部９３ｂを押圧し、てこの原理により押板９３ｃがトグルリンク５０を打撃してトグルリンク５０を屈折させて、係止機構２０を係止状態から解放状態に変位させる。そして、係止機構２０が解放状態に変位したことに伴ってレバー軸４４が後方に移動すると、この移動に伴ってレバーばね板９６がリミットスイッチ９４を作動させて、ソレノイド９１の作動を停止させる。すなわち、ソレノイド９１の駆動電力の消費は極めて短時間である。そしてソレノイド９１の作動が停止した場合、戻しスプリング９２の作用によってソレノイド９１は再び元の状態に戻される。
【００３８】
（構成−防火戸施解錠装置−第一表示灯）
第一表示灯１０１は、ソレノイド機構９０が解錠要求信号を受けた事を条件として出力を行う出力手段である。具体的には、この第一表示灯１０１は、ユーザが作動試験を実行するにあたり、防火戸施解錠装置１が解錠要求信号を正常に受信していることをユーザに確認させるための表示灯であって、ユーザにとって視認し易い位置に配置される。例えば、本実施の形態では、図２に示すように、ケース１０正面における係止機構２０の右上方位置に配置されており、防火戸施解錠装置１の正面から視認可能となっている。また、この第一表示灯１０１は他の表示灯（第二表示灯１０２、及び第三表示灯１０３）と並べて配置されており、これらは相互に任意の手段により区別される。例えば、ケース１０に各表示灯の名称を記載して区別しても良い。
【００３９】
（構成−防火戸施解錠装置−第二表示灯）
第二表示灯１０２は、ソレノイド機構９０が作動した事を条件として出力を行う出力手段である。具体的には、この第二表示灯１０２は、ユーザが作動試験を実行するにあたり、解錠要求信号を受けてソレノイド９１がソレノイドピン９５を正常に突出させたことをユーザに確認させるための表示灯であって、ユーザにとって視認し易い位置に配置される。本実施の形態においては、第一表示灯１０１の右側方に配置されている。なお、具体的な構成については、第一表示灯１０１と同様である。
【００４０】
（構成−防火戸施解錠装置−第三表示灯）
第三表示灯１０３は、係止機構２０が係止状態から解放状態に変位した事を条件として出力を行う出力手段である。具体的には、この第三表示灯１０３は、ユーザが作動試験を実行するにあたり、ソレノイドレバー９３の押板９３ｃがトグルリンク５０の可動部５１を打撃して屈折した状態にすることにより、係止機構２０が係止状態から解放状態に変位したことをユーザに確認させるための表示灯であって、ユーザにとって視認し易い位置に配置される。本実施の形態においては、第二表示灯１０２の右側方に配置されている。なお、具体的な構成については、第一表示灯１０１や第二表示灯１０２と同様である。
【００４１】
（構成−防火戸施解錠装置−マイクロスイッチ）
マイクロスイッチ１１１、１１２、１１３は、外部から力を受けて機械的に電気信号の切換えを行う公知のマイクロスイッチであって、本実施の形態においては、ソレノイド９１の作動に応じて接点が切り換えられる３つのスイッチ（マイクロスイッチ１１１、マイクロスイッチ１１２、及びマイクロスイッチ１１３）を含むスイッチである。ここで、各マイクロスイッチ１１１、１１２、１１３が電気信号の切換えを行う目的としては任意であり、本実施の形態においては、マイクロスイッチ１１１は動作確認用のスイッチであり、マイクロスイッチ１１２は移報出力用のスイッチであり、マイクロスイッチ１１３は第二表示灯１０２の点灯用のスイッチであるものとして説明するが、その他のスイッチを適宜付加し、又はスイッチを削除しても良い。なお、マイクロスイッチ１１１の切換えにより行われる動作確認の処理や、マイクロスイッチ１１２の切換えにより行われる移報出力の処理については公知であるため、その詳細な説明を省略する。また、以下では、これら３つのマイクロスイッチ１１１、１１２、１１３を特に区別する必要のないときは、単に「マイクロスイッチ」１１１、１１２、１１３と称して説明する。図１１は、マイクロスイッチ１１１、１１２、１１３とソレノイド９１の関係を示す底面図である。なお、各マイクロスイッチ１１１、１１２、１１３は、高さ方向に沿って並設されており、図１１においては最も下方に位置するマイクロスイッチのみを図示している。
【００４２】
ここで、各マイクロスイッチ１１１、１１２、１１３はいずれも同様に構成されており、具体的には、各マイクロスイッチ１１１、１１２、１１３にはレバー１２０が設けられており、このレバー１２０は、ソレノイド９１の突出方向に向けてバネ等の公知の手段により付勢されている。そして、ソレノイド９１が作動していない状態においては、各マイクロスイッチ１１１、１１２、１１３のレバー１２０がソレノイドピン９５の突出方向後端部と接触して係止されている（スイッチＯＦＦ状態）。ここで、図１２は、スイッチＯＦＦ状態の防火戸施解錠装置１の回路図である。一方、ソレノイド９１が解錠要求信号を受けて磁力によりソレノイドピン９５を突出方向に突出させた場合、各マイクロスイッチ１１１、１１２、１１３に対するソレノイドピン９５の係止が解除され、このことにより、各マイクロスイッチ１１１、１１２、１１３のレバー１２０は付勢された方向に変位した状態となる（スイッチＯＮ状態）。ここで、図１３は、スイッチＯＮ状態の防火戸施解錠装置１の回路図である。そして、係止機構２０が係止状態から解放状態に変位した場合に、リミットスイッチ９４及び戻しスプリング９２の機能により、ソレノイドピン９５が再び元の状態に戻されることによりソレノイドピン９５がマイクロスイッチ１１１、１１２、１１３のレバー１２０を突出方向と反対方向に押圧して元の位置まで押し戻し、再びマイクロスイッチ１１１、１１２、１１３はスイッチＯＦＦ状態となる。このように、各マイクロスイッチ１１１、１１２、１１３は、ソレノイド９１の物理的な動作に応じてスイッチＯＮ状態とスイッチＯＦＦ状態とが切換えられる。
【００４３】
（作動試験の方法）
続いて、上記のように構成された防火戸施解錠装置１に対して実行される作動試験の方法について説明する。この作動試験は、具体的には、解錠要求信号を受けた防火戸施解錠装置１の係止機構２０が係止状態から解放状態に正常に変位するか否かを確認するための試験である。まずこの作動試験は、前提としては、壁面に防火戸施解錠装置１を設置した後であって、防火戸２を設置する前に実行されるものとして以下では説明するが、このような条件に限定されず、例えば防火戸２を設置した後に実行しても良い。また、初期状態として、係止機構２０は解放状態となっているものとする。
【００４４】
初めに、ユーザは、係止機構２０を係止状態に変位させる。なお、上述したように、従来の作動試験方法では、ユーザがドアフック４のみを所持して、ドアフック４のフックシャフト５を係止機構２０に押し込んでラッチ部３０を反時計回りに回動させることによって係止状態に変位させていたが、本実施の形態における防火戸施解錠装置１においては、このようにドアフック４を用意しなくても係止機構２０を係止状態に変位させることができる。すなわち、ユーザは、図８に示すようにレバー操作部７０を押圧することによって、ラッチ部３０を反時計回りに回動させて係止機構２０を係止状態に変位させることができる。
【００４５】
このように係止機構２０を係止状態に変位させた後に、ユーザは所定の機器を用いてソレノイド９１に対して解錠要求信号を送信し、第一表示灯１０１、第二表示灯１０２、及び第三表示灯１０３の点灯の有無を確認する。以下ではこのようにソレノイド９１に対して解錠要求信号が送信された際に防火戸施解錠装置１により実行される処理について各図面を適宜参照して説明する。
【００４６】
まず、ソレノイド９１が解錠要求信号を受けると、図１２に示す回路図の第一表示灯１０１及びソレノイド９１に電流が流れる。
【００４７】
このように第一表示灯１０１に電流が流れた場合、上述したように第一表示灯１０１は点灯する。ここで、図２に示すように、第一表示灯１０１はケース１０の前方から視認可能な位置に設置されているため、ユーザはこの第一表示灯１０１の点灯を視認することにより、ソレノイド９１に対して解錠要求信号が正常に入力されたことを確認することができる。また、第一表示灯１０１が点灯しない場合には、ユーザは、ソレノイド９１に対して解錠要求信号が正常に入力されていないと判断することができる。さらに、ユーザは、この点灯の有無に基づいて防火戸施解錠装置１を構成する部分のうちどの部分に故障が生じているかの判断でき、例えば第一表示灯１０１が点灯していない場合には、解錠要求信号を受信する部分等の故障、配線の断線、もしくは誤配線等が発生していると判断することが可能である。
【００４８】
また、このようにソレノイド９１に電流が流れた場合、上述したようにソレノイド９１はソレノイドピン９５を突出させる。そして、ソレノイドピン９５が突出することにより、上述したように各マイクロスイッチ１１１、１１２、１１３のレバー１２０が突出方向に変位し、これに伴って図１３に示すようにマイクロスイッチ１１１、１１２、１１３の接点が切り換えられてスイッチＯＦＦ状態からスイッチＯＮ状態に切り換えられる。
【００４９】
このようにマイクロスイッチ１１１、１１２、１１３がスイッチＯＮ状態に切換えられると、第二表示灯１０２に電流が流れて第二表示灯１０２が点灯する。ここで、図２に示すように、第二表示灯１０２はケース１０の前方から視認可能な位置に設置されているため、ユーザはこの第二表示灯１０２の点灯を視認することにより、ソレノイド９１が正常に動作したことを確認することができる。また、第二表示灯１０２が点灯しない場合には、ユーザは、ソレノイド９１が正常に動作していないと判断することができる。さらに、ユーザは、この点灯の有無に基づいて防火戸施解錠装置１を構成する部分のうちどの部分に故障が生じているかの判断でき、例えば第二表示灯１０２が点灯していない場合にはソレノイド９１やソレノイドピン９５等が故障していると判断することが可能である。
【００５０】
そして、このようにソレノイドピン９５が突出した場合、ソレノイドピン９５が力点部９３ｂを押圧し、てこの原理により押板９３ｃがトグルリンク５０を打撃してトグルリンク５０を屈折させて、レバー軸４４が後方に押し下げられてラッチカム３６の係止を解放する。このことにより、ラッチ板３２はラッチ軸３１を中心として時計回りに回動し、係止機構２０が係止状態から解放状態に変位する。この際にレバー部４０のレバー板４１が奥方向に移動することにより検知スイッチ６０を押圧し、このことにより、検知スイッチ６０から第三表示灯１０３に信号が送信されて第三表示灯１０３が点灯する。ここで、図２に示すように、第三表示灯１０３はケース１０の前方から視認可能な位置に設置されているため、試験者はこの第三表示灯１０３の点灯を視認することにより、係止機構２０が係止状態から解放状態に変位したことを確認することができる。また、第三表示灯１０３が点灯しない場合には、ソレノイド９１が動作したにも関わらず、係止機構２０が係止状態から解放状態に変位していないと判断することできる。さらに、ユーザは、この点灯の有無に基づいて防火戸施解錠装置１を構成する部分のうちどの部分に故障が生じているかの判断でき、例えば第三表示灯１０３が点灯していない場合にはトグルリンク５０やレバー部４０等が故障していると判断することが可能である。
【００５１】
そして、係止機構２０が解放状態に変位したことに伴ってレバー軸４４が後方に移動すると、この移動に伴ってレバーばね板９６がリミットスイッチ９４を作動させて、所定時間（本実施の形態では５秒）経過後にソレノイド９１の作動を停止させる。そしてソレノイド９１の作動が停止した場合、戻しスプリング９２の作用によってソレノイド９１は再び元の状態に戻される。なお、各表示灯は、通電の有無に関わらず点灯を開始してから所定時間（例えば５秒）経過後に点灯を終了するものとしてもよく、このように各表示灯の点灯の継続時間を予め定めておくことにより、点灯の継続時間が短いためにユーザが点灯を見逃してしまう事態を防止でき、また点灯の継続時間が不要に長くなってしまうことを防止できる。以上により、作動試験方法の説明を終了する。
【００５２】
（実施の形態の効果）
このように、本実施の形態に記載の防火戸施解錠装置１によれば、防火戸施解錠装置１の機能の動作状態に関する出力を行う第一表示灯１０１、第二表示灯１０２、及び第三表示灯１０３を備えるので、ユーザはこの第一表示灯１０１、第二表示灯１０２、及び第三表示灯１０３による出力に基づいて防火戸施解錠装置１の機能の動作状態を容易に認識することができ、防火戸施解錠装置の作動試験に要する手間を削減し、かつ作動試験時における安全性を向上させる事が可能になる。
【００５３】
また、第一表示灯１０１は、ソレノイド機構９０が解錠要求信号を受けた事を条件として出力を行うので、ユーザは、第一表示灯１０１に対して解錠要求信号が送られていない状態を容易に認識することができ、防火戸施解錠装置１の作動試験に要する手間をより削減することが可能になる。
【００５４】
また、第二表示灯１０２は、ソレノイド機構９０が作動した事を条件として出力を行うので、ユーザは、第二表示灯１０２が作動しない状態を容易に認識することができ、防火戸施解錠装置１の作動試験に要する手間をより削減することが可能になる。
【００５５】
また、第三表示灯１０３は、係止機構２０が係止状態から解放状態へと変位した事を条件として出力を行うので、ユーザは、係止機構２０が変位しない状態を容易に認識することができ、防火戸施解錠装置１の作動試験に要する手間をより削減することが可能になる。
【００５６】
また、レバー操作部７０を備えるので、ユーザは、係止機構２０を解放状態から係止機構２０に容易に変位させることができ、防火戸施解錠装置１の作動試験に要する手間をより削減することが可能になる。
【００５７】
〔III〕実施の形態に対する変形例
以上、本発明に係る実施の形態について説明したが、本発明の具体的な構成及び手段は、特許請求の範囲に記載した本発明の技術的思想の範囲内において、任意に改変及び改良することができる。以下、このような変形例について説明する。
【００５８】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。例えば、従来の作動試験よりも作動試験に要する手間を削減できない場合や、従来の作動試験よりも安全性を向上させることができない場合であっても、従来の作動試験と同程度の手間や同程度の安全性を本願発明の防火戸施解錠装置１によって達成できている場合には、本願発明の課題が解決されている。
【００５９】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００６０】
（出力の条件について）
本実施の形態では、ソレノイド９１が解錠要求信号を受けた場合、ソレノイド９１が作動した場合、係止機構２０が係止状態から解放状態に変位した場合、の３種類の場合に出力手段は出力を行うものとして説明したが、ソレノイド９１の作動の状態、又は係止機構２０の変位の状態に関する出力を行う限り、これらの場合に限定されない。例えば、ユーザがレバー操作部７０を押圧して、係止機構２０が解放状態から係止状態に変位した場合に出力を行うことにより、レバー操作部７０が正常に作動するか否かを確認できるものであっても良い。
【００６１】
（出力手段について）
本実施の形態では、出力手段は、光による出力を行う表示灯（第一表示灯１０１、第二表示灯１０２、及び第三表示灯１０３）であるものとして説明したが、音による出力を行うスピーカ等であっても構わない。この際に各スピーカから出力する音の具体的な内容は任意であるが、例えば、ブザー音、必要に応じて生成された合成音声、又は予め録音された音声等を出力しても良く、例えば防火戸施解錠装置１における正常に作動していない可能性のある部分の名称等を出力しても良い。
【００６２】
また、本実施の形態では、三つの出力手段（第一表示灯１０１、第二表示灯１０２、及び第三表示灯１０３）を備え、これら各出力手段をそれぞれ異なる条件に基づいて出力させることにより、当該防火戸施解錠装置１における正常に動作していない部分をユーザに特定させるものとして説明したが、これに限定されない。例えば、一つのみの出力手段を備え、条件に応じて異なる出力態様によりこの出力手段を出力させることにより、当該防火戸施解錠装置１における正常に作動していない部分をユーザに特定させても良い。
【００６３】
例えば、出力手段として、複数種類の色を点灯させることが可能な表示灯を備え、ソレノイド９１が解錠要求信号を受けた場合（以下、条件１）は表示灯を赤色に点灯させ、ソレノイド９１が作動した場合（以下、条件２）は表示灯を黄色に点灯させ、係止機構２０が係止状態から解放状態に変位した場合（以下、条件３）は表示灯を青色に点灯させても良い。また、出力手段として、複数種類の周期で点滅させることが可能な表示灯を備え、条件１においては１秒周期で点滅させ、条件２においては２秒周期で点滅させ、条件３においては３秒周期で点滅させても良い。また、出力手段として、複数種類のブザー音を出力することが可能なスピーカを備え、条件１においては「解錠要求信号を検知しました」という電子音声を出力させ、条件２においては「ソレノイドが作動しました」という電子音声を出力させ、条件３においては「係止機構が解放状態になりました」という電子音声を出力させても良い。
【００６４】
また、本実施の形態では出力手段は表示灯であるものとして説明したが、これに限定されず、例えば出力手段として出力確認用の端子を設けて、ユーザが端子電圧をテスターなどで確認しても良い。
【００６５】
また、本実施の形態では条件毎に何らかの出力を行うものとして説明したが、これに限定されない。例えば、条件１、条件２、及び条件３の全ての条件を満たした場合（条件１〜条件３のＡＮＤ条件を満たした場合）や、これら３つの条件の中の所定の２つの条件を満たした場合に出力を行っても良い。このように全ての条件を満たした場合に限定することで、出力手段の構成を極めて簡素なものとすることができ、防火戸施解錠装置１が正常であるか否かという最低限必要な情報のみをユーザに出力することができる。また、このような条件の組み合わせに応じて異なる出力を行ってもよく、例えば、条件１及び条件３の条件を満たした際による出力と、条件１と条件２とを満たした際による出力とを異なるものとしても良い。また、このような出力は、一つの出力手段により行っても良いし、上述した第一表示灯１０１、第二表示灯１０２、及び第三表示灯１０３に加えて別の表示灯を設け、この表示灯によって各条件の組み合わせに対応する出力を行っても良い。
【００６６】
（付記Ａ）
付記Ａ１に記載の防火戸施解錠装置は、防火戸の施錠及び解錠を行う防火戸施解錠装置であって、係止状態及び解放状態のいずれかの状態に変位可能な係止手段であって、前記係止状態において前記防火戸に設けられた被係止部を係止することにより前記防火戸を施錠し、前記解放状態において前記被係止部を解放することにより前記防火戸を解錠する係止手段と、前記防火戸の解錠を要求する解錠要求信号を受けて作動することによって、前記係止手段を前記係止状態から前記解放状態に変位させる作動手段と、前記防火戸施解錠装置の機能の動作状態に関する出力を行う出力手段を備える。
【００６７】
付記Ａ２に記載の防火戸施解錠装置は、付記Ａ１に記載の防火戸施解錠装置において、前記出力手段は、前記作動手段が前記解錠要求信号を受けた事を条件として、前記出力を行う。
【００６８】
付記Ａ３に記載の防火戸施解錠装置は、付記Ａ１又はＡ２に記載の防火戸施解錠装置において、前記出力手段は、前記作動手段が作動した事を条件として、前記出力を行う。
【００６９】
付記Ａ４に記載の防火戸施解錠装置は、付記Ａ１からＡ３のいずれか一項に記載の防火戸施解錠装置において、前記出力手段は、前記係止手段が前記係止状態から前記解放状態に変位した事を条件として、前記出力を行う。
【００７０】
付記Ａ５に記載の防火戸施解錠装置は、前記出力手段は、付記Ａ２からＡ４に記載の条件のうちいずれか少なくとも２以上の条件を充足した場合、前記出力を行う。
【００７１】
付記Ａ６に記載の防火戸施解錠装置は、前記出力手段は、付記Ａ２からＡ４に記載の条件のうち、充足した条件、又は充足した条件の組み合わせに応じて異なる出力態様により出力を行う。
【００７２】
付記Ａ７に記載の防火戸施解錠装置は、付記Ａ１からＡ６のいずれか一項に記載の防火戸施解錠装置において、前記係止手段を前記解放状態から前記係止状態に変位させる操作手段を備える。
【００７３】
（付記Ａの効果）
付記Ａ１に記載の防火戸施解錠装置によれば、防火戸施解錠装置の機能の動作状態に関する出力を行う出力手段を備えるので、ユーザはこの出力手段による出力に基づいて防火戸施解錠装置の機能の動作状態を容易に認識することができ、防火戸施解錠装置の作動試験に要する手間を削減し、かつ作動試験時における安全性を向上させる事が可能になる。
【００７４】
付記Ａ２に記載の防火戸施解錠装置によれば、出力手段は、作動手段が解錠要求信号を受けた事を条件として出力を行うので、ユーザは、出力手段に対して解錠要求信号が送られていない状態を容易に認識することができ、防火戸施解錠装置の作動試験に要する手間をより削減することが可能になる。
【００７５】
付記Ａ３に記載の防火戸施解錠装置によれば、出力手段は、作動手段が作動した事を条件として出力を行うので、ユーザは、出力手段が作動しない状態を容易に認識することができ、防火戸施解錠装置の作動試験に要する手間をより削減することが可能になる。
【００７６】
付記Ａ４に記載の防火戸施解錠装置によれば、出力手段は、係止手段が前記係止状態から前記解放状態へと変位した事を条件として出力を行うので、ユーザは、係止手段が変位しない状態を容易に認識することができ、防火戸施解錠装置の作動試験に要する手間をより削減することが可能になる。
【００７７】
付記Ａ５に記載の防火戸施解錠装置によれば、出力手段は、付記Ａ２からＡ４に記載の条件のうちいずれか少なくとも２以上の条件を充足した場合に出力を行うので、条件毎に別個に出力を行う場合と比べて出力を簡素にすることができ、防火戸施解錠装置の作動試験に要する手間をより削減することが可能になる。
【００７８】
付記Ａ６に記載の防火戸施解錠装置によれば、付記Ａ２からＡ４に記載の条件のうち、充足した条件、又は充足した条件の組み合わせに応じて異なる出力態様により出力を行うので、ユーザはこの出力態様に基づいて、作動手段の作動の状態や係止手段の変位の状態をより具体的に認識することができ、防火戸施解錠装置の作動試験に要する手間をより削減することが可能になる。
【００７９】
付記Ａ７に記載の防火戸施解錠装置によれば、操作手段を備えるので、ユーザは、係止手段を解放状態から係止手段に容易に変位させることができ、防火戸施解錠装置の作動試験に要する手間をより削減することが可能になる。
【００８０】
（付記Ｂ）
付記Ｂ１に記載の防火戸施解錠装置は、防火戸の施錠及び解錠を行う防火戸施解錠装置であって、係止状態及び解放状態のいずれかの状態に変位可能な係止手段であって、前記係止状態において前記防火戸に設けられた被係止部を係止することにより前記防火戸を施錠し、前記解放状態において前記被係止部を解放することにより前記防火戸を解錠する係止手段と、前記防火戸の解錠を要求する解錠要求信号を受けて作動することによって、前記係止手段を前記係止状態から前記解放状態に変位させる作動手段と、前記防火戸施解錠装置の機能の動作状態に関する出力を表示又は音声で行う出力手段を備える。
【００８１】
付記Ｂ２に記載の防火戸施解錠装置は、付記Ｂ１の防火戸施解錠装置において、前記出力手段は、前記作動手段が前記解錠要求信号を受けた事を条件として、前記出力を行う。
【００８２】
付記Ｂ３に記載の防火戸施解錠装置は、付記Ｂ１又はＢ２に記載の防火戸施解錠装置において、前記作動手段は、前記解錠要求信号を受けると、所定の動作を行うソレノイドピンを備え、前記ソレノイドピンの動作に応じて、接点の状態をＯＮ状態又はＯＦＦ状態に切り替えるマイクロスイッチを備え、前記出力手段は、前記作動手段が作動した事を条件として、前記マイクロスイッチの接点の状態に基づいて前記出力を行う。
【００８３】
付記Ｂ４に記載の防火戸施解錠装置は、付記Ｂ１からＢ３のいずれか一項に記載の防火戸施解錠装置において、前記係止手段は、前記被係止部を係止又は解放するラッチ部と、前記ラッチ部を係止又は解放するレバー部と、前記作動手段の作動に伴って、前記レバー部による前記ラッチ部の係止を解放させるトグルリンクと、を備え、前記ラッチ部の解放に伴って前記レバー部によって押圧されることにより、当該押圧された旨を示す信号を出力する検知スイッチを備え、前記出力手段は、前記係止手段が前記係止状態から前記解放状態に変位した事を条件として、前記検知スイッチから出力される前記信号の入力の有無に基づいて前記出力を行う。
【００８４】
付記Ｂ５に記載の防火戸施解錠装置は、付記Ｂ１からＢ４のいずれか一項に記載の防火戸施解錠装置において、前記出力手段は、前記作動手段が前記解錠要求信号を受けた事を条件、前記作動手段が作動した事を条件、及び前記係止手段が前記係止状態から前記解放状態に変位した事を条件のうちいずれか少なくとも２以上の条件を充足した場合、前記出力を行う。
【００８５】
付記Ｂ６に記載の防火戸施解錠装置は、付記Ｂ１からＢ５のいずれか一項に記載の防火戸施解錠装置において、前記出力手段は、前記作動手段が前記解錠要求信号を受けた事を条件、前記作動手段が作動した事を条件、及び前記係止手段が前記係止状態から前記解放状態に変位した事を条件のうち、充足した条件、又は充足した条件の組み合わせに応じて異なる出力態様により出力を行う。
【００８６】
付記Ｂ７に記載の防火戸施解錠装置は、防火戸の施錠及び解錠を行う防火戸施解錠装置であって、係止状態及び解放状態のいずれかの状態に変位可能な係止手段であって、前記係止状態において前記防火戸に設けられた被係止部を係止することにより前記防火戸を施錠し、前記解放状態において前記被係止部を解放することにより前記防火戸を解錠する係止手段と、前記防火戸の解錠を要求する解錠要求信号を受けて作動することによって、前記係止手段を前記係止状態から前記解放状態に変位させる作動手段と、前記防火戸施解錠装置の機能の動作状態に関する出力を行う出力手段と、前記係止手段を前記解放状態から前記係止状態に変位させる操作手段であって、当該操作手段の操作後に前記係止手段の係止状態を維持させることが可能な操作手段と、を備え、前記操作手段は、当該操作手段の操作後に当該操作手段の操作前の状態に戻すための操作部スプリングを有する。
【００８７】
（付記Ｂの効果）
付記Ｂ１に記載の防火戸施解錠装置によれば、防火戸施解錠装置の機能の動作状態に関する出力を行う出力手段を備えるので、ユーザはこの出力手段による出力に基づいて防火戸施解錠装置の機能の動作状態を容易に認識することができ、防火戸施解錠装置の作動試験に要する手間を削減し、かつ作動試験時における安全性を向上させる事が可能になる。
【００８８】
付記Ｂ２に記載の防火戸施解錠装置によれば、出力手段は、作動手段が解錠要求信号を受けた事を条件として出力を行うので、ユーザは、出力手段に対して解錠要求信号が送られていない状態を容易に認識することができ、防火戸施解錠装置の作動試験に要する手間をより削減することが可能になる。
【００８９】
付記Ｂ３に記載の防火戸施解錠装置によれば、出力手段は、作動手段が作動した事を条件として出力を行うので、ユーザは、出力手段が作動しない状態を容易に認識することができ、防火戸施解錠装置の作動試験に要する手間をより削減することが可能になる。
【００９０】
付記Ｂ４に記載の防火戸施解錠装置によれば、出力手段は、係止手段が前記係止状態から前記解放状態へと変位した事を条件として出力を行うので、ユーザは、係止手段が変位しない状態を容易に認識することができ、防火戸施解錠装置の作動試験に要する手間をより削減することが可能になる。
【００９１】
付記Ｂ５に記載の防火戸施解錠装置によれば、出力手段は、付記Ｂ２からＢ４に記載の条件のうちいずれか少なくとも２以上の条件を充足した場合に出力を行うので、条件毎に別個に出力を行う場合と比べて出力を簡素にすることができ、防火戸施解錠装置の作動試験に要する手間をより削減することが可能になる。
【００９２】
付記Ｂ６に記載の防火戸施解錠装置によれば、付記Ｂ２からＢ４に記載の条件のうち、充足した条件、又は充足した条件の組み合わせに応じて異なる出力態様により出力を行うので、ユーザはこの出力態様に基づいて、作動手段の作動の状態や係止手段の変位の状態をより具体的に認識することができ、防火戸施解錠装置の作動試験に要する手間をより削減することが可能になる。
【００９３】
付記Ｂ７に記載の防火戸施解錠装置によれば、防火戸施解錠装置の機能の動作状態に関する出力を行う出力手段を備えるので、ユーザはこの出力手段による出力に基づいて防火戸施解錠装置の機能の動作状態を容易に認識することができ、防火戸施解錠装置の作動試験に要する手間を削減し、かつ作動試験時における安全性を向上させる事が可能になる。
また、防火戸施解錠装置の機能の動作状態に関する出力を行う出力手段を備えるので、ユーザはこの出力手段による出力に基づいて防火戸施解錠装置の機能の動作状態を容易に認識することができ、防火戸施解錠装置の作動試験に要する手間を削減し、かつ作動試験時における安全性を向上させる事が可能になる。
【符号の説明】
【００９４】
１  防火戸施解錠装置
２  防火戸
３  フロアヒンジ
４  ドアフック
５  フックシャフト
６  フックアーム
７  フック座板
１０  ケース
１１  ラッチ溝
１２  キー孔
２０  係止機構
３０  ラッチ部
３１  ラッチ軸
３２  ラッチ板
３３  ラッチストッパーピン
３４  ラッチスプリング
３５  ラッチ腕
３６  ラッチカム
４０  レバー部
４１  レバー板
４２  連結ピン
４３  スライドピン
４４  レバー軸
５０  トグルリンク
５１  可動部
５１ａ  前片
５１ｂ  後片
５２  トグルジョイント
５３  トグルピン
６０  検知スイッチ
７０  レバー操作部
７１  操作部スプリング
８０  調整スプリング機構
８１  固定用ネジ
８２  調整ネジ受け板
８３  係止力ネジ
８４  スライドナット
８５  スライドスプリング受け
８６  係止力スプリング
８７  スライド窓
９０  ソレノイド機構
９１  ソレノイド
９２  戻しスプリング
９３  ソレノイドレバー
９３ａ  支点軸
９３ｂ  力点部
９３ｃ  押板
９４  リミットスイッチ
９５  ソレノイドピン
９６  レバーばね板
１０１  第一表示灯
１０２  第二表示灯
１０３  第三表示灯
１１１、１１２、１１３  マイクロスイッチ
１２０  レバー
【図１】
2018135756.tif 000003
【図２】
2018135756.tif 000004
【図３】
2018135756.tif 000005
【図４】
2018135756.tif 000006
【図５】
2018135756.tif 000007
【図６】
2018135756.tif 000008
【図７】
2018135756.tif 000009
【図８】
2018135756.tif 000010
【図９】
2018135756.tif 000011
【図１０】
2018135756.tif 000012
【図１１】
2018135756.tif 000013
【図１２】
2018135756.tif 000014
【図１３】
2018135756.tif 000015